(57)【特許請求の範囲】
【請求項１】
背凭れフレームの下端部から座部フレームを延設してＬ字状サイドフレームを形成し、左右一対の前記サイドフレームを前記背凭れフレーム部分に両端を固定された連結フレームにて連結すると共に、この連結フレームを前方に突設して連結フレーム内に身体機能障害者の胴部を収めることができる胴部収容スペース部を形成し、前記座部フレームの先端部の間を連結した下連結フレームを上方に突曲させて該下連結フレーム内に身体機能障害者の脚部を収めることができる脚部収容スペース部を形成し、背凭れベルト及び横ベルトとＶ字状に配設される一対の斜めベルトからなる座部ベルトの端に設けた掛止金具を前記背凭れフレーム及び前記座部フレームに着脱自在に掛止するためのベルト留めを前記サイドフレームに設け、更に前記左右一対のサイドフレームの上端及び下連結フレームの左右両側は、台車に立設される吊り下げ用支柱に取付けられた電動ウインチのウインチロープの下端にあるハンガーのフックに着脱自在な輪状部を他端に有する吊り下げロープの一端と連結されてなることを特徴とする身体機能障害者の移動用椅子フレーム。
【発明の詳細な説明】
【０００１】
【発明の属する技術分野】
本発明は、寝たきり高齢者等の身体機能障害者の介護の負担を軽減するための身体機能障害者の移動用椅子フレームに関するものである。
【０００２】
【従来の技術】
近年、身体機能障害者の介護負担が大きな社会問題となっている。
軽度の身体機能障害者の場合には、身体機能障害者自身が歩行補助具等を使ってトイレや浴室まで移動することができるが、寝たきり高齢者等の身体機能障害者の場合には、介護者が身体機能障害者を起こしてトイレや浴室まで連れて行って便座に座わらせたり浴槽に入れなければならないので、身体機能障害者の排泄・入浴の世話が介護者の大きな負担となり、特に在宅介護では大きな障害となっているのが現状である。
【０００３】
【発明が解決しようとする課題】
その一方で、今日に至るまで種々の介護用具が提案されてきたが、寝たきり高齢者等の身体機能障害者の自立を可能にして介護者の負担を大幅に軽減することができる用具については提案されていなかった。
本発明は、上記従来の課題に鑑みてなされたものであって、本発明の目的とするところは、寝たきり高齢者等の身体機能障害者が介護者に頼らずに起き上がって排泄・入浴等をすることが可能となる身体機能障害者の移動用椅子フレームを提供することにある。
【０００４】
【課題を解決するための手段】
上記目的を達成するための本発明の請求項１の身体機能障害者の移動用椅子フレームは、背凭れフレームの下端部から座部フレームを延設してＬ字状サイドフレームを形成し、左右一対の前記サイドフレームを前記背凭れフレーム部分に両端を固定された連結フレームにて連結すると共に、この連結フレームを前方に突設して連結フレーム内に身体機能障害者の胴部を収めることができる胴部収容スペース部を形成し、前記座部フレームの先端部の間を連結した下連結フレームを上方に突曲させて該下連結フレーム内に身体機能障害者の脚部を収めることができる脚部収容スペース部を形成し、背凭れベルト及び横ベルトとＶ字状に配設される一対の斜めベルトからなる座部ベルトの端に設けた掛止金具を前記背凭れフレーム及び前記座部フレームに着脱自在に掛止するためのベルト留めを前記サイドフレームに設け、更に前記左右一対のサイドフレームの上端及び下連結フレームの左右両側は、台車に立設される吊り下げ用支柱に取付けられた電動ウインチのウインチロープの下端にあるハンガーのフックに着脱自在な輪状部を他端に有する吊り下げロープの一端と連結されたことを特徴とする。
【０００６】
【発明の実施の形態】
以下、本発明の実施の形態を図面に従って説明する。
図１及び図５に示すように、移動用椅子フレームＡは、金属パイプ製であって、身体機能障害者Ｂの胴部Ｂ１の横幅寸法より大きな間隔で配設される左右一対のサイドフレーム１と、一対のサイドフレーム１を連結する連結フレーム２と、座部ベルト３及び背凭れベルト４をサイドフレーム１に着脱自在に取付けるためのベルト留め５とで構成されている。
【０００７】
図１に示すように、サイドフレーム１は背凭れフレーム６の下端部から座部フレーム７を延設して構成されるＬ字状のフレームであり、サイドフレーム１の背凭れフレーム６同士は連結フレーム２にて連結されている。
この連結フレーム２は前方にＵ字状に突曲されて連結フレーム２内に身体機能障害者Ｂの胴部Ｂ１を収めることができる胴部収容スペース部８が形成されている。
【０００８】
また、図１及び図６に示すように、サイドフレーム１の座部フレーム７の先端同士は下連結フレーム９にて連結されており、この下連結フレーム９を上方にＵ字状に突設して下連結フレーム９内には身体機能障害者Ｂの脚部Ｂ２を収めることができる脚部収容スペース部１０が形成されている。
なお、下連結フレーム９は移動用椅子フレームＡを補強するための補強材であるが、下連結フレーム９の代わりに連結フレーム２の先端と座部フレーム７との間を補強パイプで連結して補強するようにしても良い。
【０００９】
図中の符号５は移動用椅子フレームＡに座部ベルト３及び背凭れベルト４を着脱自在に掛止するためのベルト留めであって、図３に示すように、移動用椅子フレームＡに固定される留めピン１１の上端に係止頭部１２を設けることにより形成されている。
図１に示すように、背凭れフレーム６には３対のベルト留め５が設けられ、座部フレーム７には２対のベルト留め５が設けられている。
また、左右一対のサイドフレーム１の上端及び下連結フレーム９の左右両側にはリング１３，１４が形成されている。
【００１０】
図１に示すように、移動用椅子フレームＡには吊り下げロープ１５が取り付けられている。吊り下げロープ１５の一端はサイドフレーム１及び下連結フレーム９のリング１３，１４に連結されており、吊り下げロープ１５の他端には輪状部１６が形成されている。
【００１１】
図２は移動用椅子フレームＡに掛止される座部ベルト３及び３本の背凭れベルト４を示す平面図である。
３本の背凭れベルト４は背凭れフレーム６の上段と中段と下段にそれぞれ配設され、各背凭れベルト４はベルト本体１７の両端に掛止金具１８を取付けて形成されている。
座部ベルト３は横ベルト１９とＶ字状に配設される一対の斜めベルト２０から成り、斜めベルト２０の一端は横ベルト１９の中間部に接続され、横ベルト１９の両端及び各斜めベルト２０の他端には掛止金具１８が取付られている。
斜めベルト２０の開き角度θについては、図１０に示すように、横ベルト１９を便座２１の前部２２に載せたときには、斜めベルト２０が便座２１の側部２３の上に位置して便座２１の内周側にはみ出さないように設定されている。
【００１２】
図２及び図３に示すように、掛止金具１８の先端にはベルト留め５の係止頭部１２を挿通するための突曲部２４が形成されており、掛止金具１８の突曲部２４をベルト留め５の係止頭部１２に挿通した後、座部ベルト３及び背凭れベルト４を図３の矢印で示す方向に引くことにより、座部ベルト３及び背凭れベルト４が掛止金具１８によってサイドフレーム１に掛止されるようになっている。なお、後述するように、身体機能障害者Ｂを吊り下げた時には、身体機能障害者Ｂの重みで座部ベルト３及び背凭れベルト４が引っ張られるので、実際に使用するときには座部ベルト３及び背凭れベルト４を引く動作は不要となる。
【００１３】
図８及び図９に示すように、移動用椅子フレームＡは移動式トイレ装置２５に取り付けられるものである。同図に示すように、移動式トイレ装置２５は、台車２６と、台車２６の中央に搭載される便座２１付き便器２７と、台車２６の一端部から立設される吊り下げ用支柱２８と、台車２６の他端に固定される重り２９と、台車２６の一端部の両側に開閉自在に取付けられる左右一対の安定脚３０と、吊り下げ用支柱２８を支持するための支柱支持フレーム３１とで構成されている。
【００１４】
図８及び図９に示すように、吊り下げ用支柱２８の上端にはブラケット３２が形成されており、このブラケット３２の先端には電動ウインチ３３が着脱自在に取り付けられている。電動ウインチ３３は、図８に示す操作体３４にて操作されるものであり、電動ウインチ３３の駆動回路と操作体３４の操作回路とは電気コード３５にて接続され、身体機能障害者Ｂは操作体３４を手に持って電動ウインチ３３を操作できるようになっている。電動ウインチ３３のウインチロープ３６の下端にはハンガー３７が取り付けられている。このハンガー３７の両端部に前後一対のフック３８をそれぞれ取り付けられている。
【００１５】
図８及び図９に示すように、安定脚３０は脚本本体３１の先端に手動によって昇降する接地体３２を取り付けて構成され、脚本本体３１の基端は台車２６の側部にヒンジ４０にて連結されており、使用時には、同図に示すように安定脚３０を開くと共に接地体３２を降下させて床面に接地させる。
なお、図中の符号３９は台車２６に取付られた手押し用フレームである。
【００１６】
以上のようにして構成される移動用椅子フレームＡは、電動ウインチ３３及び移動式トイレ装置２５を使用することにより身体機能障害者Ｂを便器２７の便座２１に座らせ、用を足した後は元の場所に戻すことができる。
（１）まず、予め移動用椅子フレームＡ、背凭れベルト４及び座部ベルト３を身体機能障害者Ｂの手の届く所に位置させておき、また、移動式トイレ装置２５を身体機能障害者Ｂの側に位置させると共に、電動ウインチ３３に取り付けられたハンガー３７を身体機能障害者Ｂの上方に、かつ、仰向けに寝ている身体機能障害者Ｂの手の届く所に位置させておく。
【００１７】
（２）次に、図４に示すように、布団４１の上に仰向けに寝ている身体機能障害者Ｂの背中に中段の背凭れベルト４を敷く。
（３）次に、図５の二点鎖線で示すように、サイドフレームが身体機能障害者Ｂの胴体Ｂ１の両側に位置するように介護者又は身体機能障害者Ｂ自身が移動用椅子フレームＡを布団４１の上に置く。このとき、同図に示すように、移動用椅子フレームＡを倒しておく。
【００１８】
（４）次に、図５の実線で示すように、身体機能障害者Ｂの手Ｂ３で移動用椅子フレームＡを引き上げてサイドフレーム１の上端を身体機能障害者Ｂの頭部Ｂ４の両側に位置させる。その後、図６に示すように、移動用椅子フレームＡの吊り下げロープ１５の輪状部１６をハンガー３７のフック３８に引っ掛ける。また、背凭れベルト４の掛止金具１８を背凭れフレーム部のベルト留め５に引っ掛ける。
【００１９】
（５）次に、図６に示すように、身体機能障害者Ｂが操作体３４を手Ｂ３に持ち、操作体３４の操作でウインチロープ３６を巻き上げることにより、移動用椅子フレームＡの背凭れフレーム６を引き上げて身体機能障害者Ｂと共に移動用椅子フレームＡを起こす。
（６）次に、身体機能障害者Ｂが臀部Ｂ５を布団４１から浮かせて座部ベルト３を座部フレーム７に掛止すると共に、残りの背凭れベルト４を背凭れフレーム６に掛止する。
【００２０】
（７）次に、図７に示すように、身体機能障害者Ｂが操作体３４を操作して電動ウインチ３３のウインチロープ３６を更に巻き上げて、移動用椅子フレームＡを身体機能障害者Ｂと共に布団４１から浮かせる。
このとき、同図に示すように、身体機能障害者Ｂ自身の重みによって身体機能障害者Ｂの臀部Ｂ５が座部ベルト３の斜めベルト２０間に嵌まり込み、身体機能障害者Ｂの身体の状態が安定して落下事故を防止することができ、また、身体機能障害者Ｂは連結フレーム２や下連結フレーム９に手で掴んで身体を支えることができる。
【００２１】
（８）次に、図８に示すように、身体機能障害者Ｂが移動式トイレ装置２５の支柱支持フレーム３１を手Ｂ３で触れて押したり引いたりすることにより、その反力で移動用椅子フレームＡが吊り下げ用支柱２８を中心にして同図の矢印で示すように回転し、身体機能障害者Ａを便器２７の上まで移動させる。
【００２２】
（９）次に、図９に示すように、身体機能障害者Ｂが操作体３４を操作して移動用椅子フレームＡを降下させて身体機能障害者Ｂの身体を便器２７の上に載せる。
このとき、図１０に示すように、座部ベルト３の横ベルト１９を便座２１の前部２２に載せれば、座部ベルト３の斜めベルト２０は便座２１の内周側にはみ出ない。したがって、身体機能障害者Ｂが衣類をずらせて排泄するときに身体機能障害者Ｂの局部が座部ベルト３で塞がれることがなく便器２７内に臨んで性別を問わず容易に排泄を行うことができる。
なお、身体機能障害者Ｂの足Ｂ６を足載せ台を兼ねる重り２９の上に載せることにより、安定した姿勢で排泄することができる。
【００２３】
（１０）用便後は、電動ウインチ３３にて移動用椅子フレームＡを引き上げ、上述の要領で移動用椅子フレームＡを布団４１の上方にまで回転させた後、移動用椅子フレームＡを布団４１の上に降ろす。
（１１）次に、身体機能障害者Ｂは自力で座部ベルト３及び上段及び下段の背凭れベルト４を移動用椅子フレームＡから外し、電動ウインチ３３にて移動用椅子フレームＡを更に降下させて背凭れフレーム６を布団４１の上に倒す。
【００２４】
（１２）次に、移動用椅子フレームＡから残りの背凭れベルト４を外すと共に、移動用椅子フレームＡの吊り下げロープ１５の輪状部１６をハンガー３７のフック３８から外して移動用椅子フレームＡを身体機能障害者Ｂの横に置く。
このように、移動用椅子フレームＡを用いることにより、身体機能障害者ＡはＡは自力で排泄を行うことができる。
【００２５】
入浴する場合には、便器に代えて浴槽を載せた移動装置を使用すれば良い。
なお、移動用椅子フレームＡを３本の吊り下げロープ１５によってバランス良く吊り下げるようにしても良い。
また、本発明の移動用椅子フレームＡは、身体機能障害者Ｂが食事や読書のために起き上がるのにも使用される。
【００２６】
【発明の効果】
以上説明したように、請求項１の発明の身体機能障害者の移動用椅子フレームによれば、身体機能障害者は介護者に頼らずに自力で排泄・入浴・食事等を行うことができるので、介護者の負担を大幅に減らすことができ、在宅介護が容易となる。又、下連結フレームによって移動用椅子フレーム全体の強度の向上させることができ、しかも、下連結フレーム内に身体機能障害者の脚部を収めることができるので、下連結フレームが邪魔にならない。
【図面の簡単な説明】
【図１】本発明の身体機能障害者の移動補助用椅子フレームの実施の形態の斜視図である。
【図２】移動用椅子フレームに使用される背凭れベルト及び座部ベルトの平面図である。
【図３】移動用椅子フレームへの背凭れフレーム及び座部ベルトの取り付け動作を示す斜視図である。
【図４】移動用椅子フレームによる身体機能障害者の移動動作を示す斜視図である。
【図５】移動用椅子フレームによる身体機能障害者の移動動作を示す斜視図である。
【図６】移動用椅子フレームによる身体機能障害者の移動動作を示す斜視図である。
【図７】移動用椅子フレームによる身体機能障害者の移動動作を示す斜視図である。
【図８】移動用椅子フレームによる身体機能障害者の移動動作を示す斜視図である。
【図９】移動用椅子フレームによる身体機能障害者の移動動作を示す斜視図である。
【図１０】移動用椅子フレームが便座の上に位置した状態を示す平面図である。
【符号の説明】
Ａ  移動用椅子フレーム
Ｂ  身体機能障害者
１  サイドフレーム
２  連結フレーム
３  座部ベルト
４  背凭れベルト
５  ベルト留め
６  背凭れフレーム
７  座部フレーム
８  胴部収容スペース部
９  下連結フレーム
１０  脚部収容スペース部
【図１】
0004586207.tif 000002
【図２】
0004586207.tif 000003
【図３】
0004586207.tif 000004
【図４】
0004586207.tif 000005
【図５】
0004586207.tif 000006
【図６】
0004586207.tif 000007
【図７】
0004586207.tif 000008
【図８】
0004586207.tif 000009
【図９】
0004586207.tif 000010
【図１０】
0004586207.tif 000011